(57)【要約】【課題】  動画ファイルを適正な箇所で複数のファイルに分割して記録する。【解決手段】動画記録が開始されると（２０１）、新規ファイルを生成する（２０２）。動画像撮影、画像処理及び圧縮処理（２０３）の後、動画像データを生成ファイルに書き込む（２０４）。変化を検知した場合（２０６）、新規ファイル（別ファイル）を生成し（２０２）、動画像撮影、画像処理および圧縮処理（２０３）、動画像データの生成ファイルへの書き込み（２０４）を行う。変化を検知しなかった場合（２０６）、動画像撮影、画像処理および圧縮処理（２０３）を行い、動画像データを生成ファイルに追記書き込みする（２０４）。停止要求があるまで（２０５）、以上の処理を繰り返す。【選択図】  図２
2006093956.tif 000002
【特許請求の範囲】
【請求項１】
被写体像を光電変換する撮像手段と、
当該撮像手段による映像信号を画像処理する画像処理手段と、
撮像した動画像を圧縮する圧縮処理手段と、
圧縮された動画像を記憶する記憶手段と、
被写体等を表示する表示手段と、
撮影者が撮影動作等を行う操作手段と、
撮像した画像の特徴を取得する特徴取得手段と、
取得した特徴に応じて新規の別動画像ファイルへの記憶を制御する制御手段
とを具備することを特徴とする撮像装置。
【請求項２】
前記特徴取得手段は、前記特徴として前記撮像した画像の輝度を測定することを特徴とする請求項１に記載の撮像装置。
【請求項３】
前記特徴取得手段は、白色のバランス状態を抽出することを特徴とする請求項１に記載の撮像装置。
【請求項４】
更に、
前記特徴取得手段により取得される特徴に従い、被写体との距離を測距する測距手段と、
前記測距手段の測距結果に従い合焦制御する自動焦点制御手段
とを具備し、
前記制御手段が、新規の別動画像ファイルへの記憶を、前記測距範囲指定手段により指定された測距範囲により制御することを特徴とする請求項１に記載の撮像装置。
【請求項５】
更に、
前記特徴取得手段により取得される特徴に従い被写体との距離を測距する測距手段と、
前記測距手段の測距結果に従い合焦制御する自動焦点制御手段と、
前記測距手段の測距範囲を操作者が指定する測距範囲指定手段
とを具備し、
前記制御手段が、新規の別動画像ファイルへの記憶を、前記測距範囲指定手段により指定された測距範囲により制御する
ことを特徴とする請求項１に記載の撮像装置。
【請求項６】
前記特徴取得手段が、撮影画像内の複数の測距範囲から特徴を取得し、
更に、
前記特徴取得手段により取得される特徴に従い被写体との距離を測距する測距手段と、
前記測距手段の測距結果に従い合焦制御し、複数の測距範囲から合焦範囲を選択する自動焦点制御手段と、
新規の別動画像ファイルへの記憶を、前記複数の測距範囲により制御する第２の制御手段
とを具備することを特徴とする請求項１に記載の撮像装置。
【請求項７】
更に、
ズーム変更を検出するズーム変更手段と、
前記ズーム変更検出手段の検出結果に従い、、新規の別動画像ファイルへの記憶を制御する第２の制御手段
とを具備することを特徴とする請求項１に記載の撮像装置。
【請求項８】
更に、
撮像装置の姿勢の変化を検出する姿勢検出手段と、
前記姿勢検出手段の検出結果に従い、新規の別動画像ファイルへの記憶を制御する第２の制御手段
とを具備することを特徴とする請求項１に記載の撮像装置。
【請求項９】
更に、
新たなファイルに動画像を記録してから一定時間の経過を判断する時間経過判断手段と、
前記時間経過判断手段の判断結果に従い、新規の別動画像ファイルへの記憶を制御する第２の制御手段
とを具備することを特徴とする請求項１に記載の撮像装置。
【請求項１０】
更に、
記録している動画像ファイルが一定ファイルサイズを超えたか否かを判断するサイズ判断手段と、
前記サイズ判断手段の判断結果に従い、新規の別動画像ファイルへの記憶を制御する第２の制御手段
とを具備することを特徴とする請求項１に記載の撮像装置。
【発明の詳細な説明】
【技術分野】
【０００１】
本発明は、動画の撮影する撮像装置に関する。
【背景技術】
【０００２】
電子カメラ及びカメラ一体型ビデオレコーダ等の従来の撮像装置では、動画撮影において録画される動画は、一つの動画ファイルに収容される。図１４は、動画像をファイルに記録する際の基本処理フローを示す。動画記録が開始されると（１４０１）、新規ファイルを生成する（１４０２）。動画像撮影、画像処理及び圧縮処理（１４０３）の後、動画像データを生成ファイルに書き込む（１４０４）。動画記録停止要求の有無を確認し（１４０５）、ある場合は終了し（１４０６）、停止要求がない場合は、動画像撮影を継続し、ステップ１４０３，１４０４，１４０５の処理を再実行する。停止要求があるまで、ステップ１４０３，１４０４，１４０５を繰り返す。
【０００３】
図１５は、生成された動画像ファイルを示す。時刻１５０１で録画が開始され、時刻１５０２で録画が停止される。動画ファイル１５０３には、開始時刻１５０１から停止時刻１５０２までの間、逐次、動画データが追記記録され、最終的に一つのファイルとなる。
【０００４】
また、別の従来例では、動画撮影において動画像を所定時間ごと又は所定データ量ごとに分割したファイルを生成する（特許文献１参照）。
【特許文献１】特開平１１−３４１４３４号公報
【発明の開示】
【発明が解決しようとする課題】
【０００５】
従来の撮像装置では、動画を一つの動画ファイルとして記録するか、又は、一定時間ごと又は所定データ量ごとに分割された複数のファイルに記録する。
【０００６】
最近の動画撮影では、画像サイズが大きくなり、また１秒あたりのフレーム数が増える傾向にある。１回の録画で生成される動画ファイルが大きくなることにより、ファイルシステム性能、記憶媒体のアクセス性能及び通信媒体の転送性能が著しく低下するという問題がある。
【０００７】
また、動画像を一定時間毎又は所定データ量ごとに分割して記録する従来例では、シーンの切り替わりに依存せずに動画を別ファイルに分割記録するので、操作者が見たいシーンを再生しようとした場合、他のシーンを含むファイルを読み込む必要があり、見たいシーンを素早く表示できないという問題がある。
【０００８】
本発明は、このような不都合を解消する撮像装置を提示することを目的とする。
【課題を解決するための手段】
【０００９】
本発明に係る撮像装置は、被写体像を光電変換する撮像手段と、当該撮像手段による映像信号を画像処理する画像処理手段と、撮像した動画像を圧縮する圧縮処理手段と、圧縮された動画像を記憶する記憶手段と、被写体等を表示する表示手段と、撮影者が撮影動作等を行う操作手段と、撮像した画像の特徴を取得する特徴取得手段と、取得した特徴に応じて新規の別動画像ファイルへの記憶を制御する制御手段とを具備することを特徴とする。
【発明の効果】
【００１０】
本発明によれば、動画撮影におけるシーンの切り替わりを操作者が意識することなく検出でき、これを基に動画ファイルを適正な箇所で複数のファイルに分割して記憶できる。
【００１１】
また、動画撮影におけるシーンの切り替わり自動検知間隔が短い場合に不必要に動画像ファイルが分割されることを避けることができ、これを基に動画ファイルをさらに適正な箇所で分割できる。
【００１２】
動画録画においては、大きな画像サイズ、また１秒あたりのフレーム数が多い場合に、１回の録画で生成される動画ファイルが大きくなるが、ファイルを分割記憶することでファイルシステム性能上、記憶媒体のアクセス性能上、通信媒体の転送性能上、性能低下を最小限に留めることができる。
【００１３】
シーンの切り替わりを自動検知しシーン切り替わりごとにファイルを分割記憶することにより、操作者が見たいシーンを再生しようとした場合に、所望のシーンを含む一つのファイルの読み込み再生を行うのみでよく、他のファイルを扱う必要がないので、大きなデータ、不要なデータを扱わずに済む。これにより、操作者に対する応答性が向上し、見たいシーンを素早く表示できる。
【発明を実施するための最良の形態】
【００１４】
以下、図面を参照して、本発明の実施例を詳細に説明する。
【実施例１】
【００１５】
図１は本発明の一実施例の概略構成ブロック図を示す。本実施例の撮像装置は、ＣＰＵ１０１、メモリ１０２、表示部１０３、操作部１０４、通信手段１０５、撮像部１０６、画像処理部１０７、記憶媒体１０８及び圧縮処理部１０９からなる。
【００１６】
ＣＰＵ１０１は、メモリ１０２上のプログラムを実行することで、表示部１０３、操作部１０４、通信手段１０５、撮像部１０６、画像処理部１０７、記憶媒体１０８及び圧縮処理部１０９に、撮影に必要な動作をさせる。メモリ１０２には、ＣＰＵ１０１で実行されるプログラム及びプログラム実行に必要なデータが保持されている。
【００１７】
表示部１０３は、電子ビューファインダ（ＥＶＦ）画像の表示、撮影した画像の再生表示、及び各種撮影条件の設定などの操作メニューの表示に使用されるＬＣＤ等の表示装置である。
【００１８】
操作部１０４は、撮影者が各種撮影条件の設定や撮影動作を行うために操作するボタン、十字キー及びダイヤルなどからなる操作部材である。
【００１９】
通信手段１０５は、ＰＣ（パーソナルコンピュータ）、他の撮像装置又はプリンタ等の通信手段を備えた外部装置と接続し、撮影画像及び撮影条件等の情報を送受信可能であり、また、外部装置の制御、及び、外部装置による本撮像装置の制御に使用される。
【００２０】
撮像部１０６は、レンズを用いた光学系及びＣＣＤ等の撮像素子からなり、被写体の光学像を映像信号に変換し、画像処理部１０７に送出する。また、撮像部１０６は、光量を調節するためのシャッタ機構及び絞り機構を具備する。
【００２１】
画像処理部１０７は、撮像部１０６から得られた映像信号に対し所定の信号処理を施す。本実施例は、オートフォーカス（ＡＦ）機能、オート露出（ＡＥ）機能及びオートホワイトバランス（ＡＷＢ）機能を具備する。ＡＦでは、撮像部１０６からの画像データのある矩形領域を測距枠として設定し、この測距枠内の画像情報を基に撮像部１０６のフォーカスを制御する。ＡＥでは、撮像部１０６からの画像データのある矩形領域を測光枠として設定し、この測光枠内の画像情報を基に露出を制御する。ＡＷＢでは、撮像部１０６からの画像データの画像情報を基に色バランスを制御する。また、電子ズームを利用している場合には、画角切り出し位置を設定することによって撮像部１０６の出力画像から任意の矩形領域を切り出すことができ、切り出した画像をＥＶＦ表示レビュー表示又は撮影サイズ等に合わせて拡大縮小する。
【００２２】
圧縮処理部１０９は、画像処理部１０７で施された画像処理後の画像データを所定の圧縮方式でデータ圧縮する。
【００２３】
記憶媒体１０８は、圧縮処理部１０９で圧縮された画像データ、及び撮影時の各種情報などをファイルデータとして保存する。記憶媒体１０８は、半導体などの固体メモリ、ハードディスク及び／又は光記憶媒体等からなる。
【００２４】
図２は、動画像をファイルに記録する際の基本処理フローを示す。動画記録が開始されると（２０１）、新規ファイルを生成する（２０２）。動画像撮影、画像処理及び圧縮処理（２０３）の後、動画像データを生成ファイルに書き込む（２０４）。動画記録停止要求があるか否かを確認し（２０５）、ある場合は終了し（２０７）、停止要求がない場合は、さらに何らかの変化を検知したかを確認する（２０６）。変化を検知した場合は、新規ファイル（別ファイル）を生成し（２０２）、動画像撮影、画像処理および圧縮処理（２０３）、動画像データの生成ファイルへの書き込み（２０４）を行う。変化を検知しなかった場合は、新規ファイルを生成せず、動画像撮影、画像処理および圧縮処理（２０３）を行い、動画像データを生成ファイルに追記書き込みする（２０４）。停止要求があるまで、以上の一連の処理（２０２、２０３、２０４、２０５、２０６）を繰り返す。
【００２５】
ここで、何らかの変化とは、以下の１又は複数の事項を指す。変化１：明るさの変化、変化２：光源の変化、変化３：被写体距離の変化、変化４：指定測距枠の位置の変化、変化５：複数の測距枠における合焦測距枠の変化、変化６：ズーム倍率の変化、変化７：撮像装置の向きの変化である。
【００２６】
図３は、生成される動画像ファイル例を示す。時刻３０１で録画が開始され、時刻３０４で録画が停止される。何らかの変化が検知されたことによる分割イベントが時刻３０２，３０３に発生している。第１の動画ファイル３０５には、録画開始時刻３０１から第１の分割イベントが発生する時刻３０２まで、逐次、動画データが追記記憶される。
【００２７】
第１の分割イベントが発生すると（時刻３０２）、新規ファイルとして第２の動画ファイル３０６が生成される。第２の動画ファイル３０６には、第１の分割イベントの発生時刻３０２から第２の分割イベント３０３が発生するまで、逐次、動画データが追記記憶される。第２の分割イベントが発生すると（時刻３０３）、新規ファイルとして第３の動画ファイル３０７が生成される。第３の動画ファイル３０７には、第２の分割イベントの発生時刻３０３から録画停止が要求される時刻３０４まで、逐次、動画データが追記記憶される。
【００２８】
このように、何らかの変化が検知されることにより第１の動画ファイル３０５、第２の動画ファイル３０６及び第３の動画ファイル３０７というように分割された複数の動画ファイルが生成される。
【００２９】
変化１の一例を説明する。図４は、撮影者が撮影対象を明るい場所４０２から日陰の場所４０４に移動したときを示す。撮影された動画像はシーン４０１からシーン４０３に切り替わる。ＡＥ制御では、明るさを逐次測光しているが、場所４０２から場所４０４への変化に対して、明るさの変化（変化１）が検知される。すなわち、シーン４０１からシーン４０３へのシーン切り替わりが、変化１として検知される。
【００３０】
変化２の一例を説明する。図５は、撮影者が撮影対象を太陽光５０２下の場所５０１から電灯５０４下の屋内５０３に移動したときを示す。撮影された動画像は、シーン５０１からシーン５０２へと切り替わる。ＡＷＢ処理では、光源の色情報を逐次評価しているが、太陽光５０２から伝統５０４への変化に対して、光源の色情報の変化（変化２）を検知する。すなわち、シーン５０１からシーン５０３への切り替わりに伴う光源の色変化を変化２として検知する。
【００３１】
変化３の一例を説明する。図６は、撮影者が撮影対象を近距離の被写体６０２から遠距離の被写体６０５に移動したときを示す。撮影された動画像は、シーン６０１からシーン６０４へと切り替わる。ＡＦ制御では、被写体６０２の被写体距離を測距枠６０３内の画像情報を基に求め、被写体６０２の被写体距離を測距枠６０６内の画像情報を基に求める。ＡＦ制御では、被写体距離を逐次、測定しているが、被写体６０２から被写体６０５への変化に対して被写体距離の変化（変化３）を検知する。すなわち、シーン６０１からシーン６０４への切り替わりを変化３として検知する。また、ここでの被写体距離は、被写体距離に準ずる情報である場合もある。被写体距離に順ずる情報の場合も、被写体距離の変化は検知できる。
【００３２】
変化４の一例を説明する。図７は、撮影者が操作部１０４の十字ボタン等を利用して主被写体を被写体７０３から被写体７０６に変更し、その際に、測距枠が位置７０２から位置７０５に移動したことを示している。撮影された動画像は、シーン７０１からシーン７０４へと切り替わる。測距枠の位置の変化（変化４）を検知することで、シーン７０１からシーン７０４への切り替わりを変化４として検知する。ここでは、操作者によって一つの測距枠が位置７０２から位置７０５に移動した場合を説明したが、複数の測距枠から一つの測距枠を選択する場合も同様である。複数の測距枠の場合、操作者が複数の測距枠の内、選択した枠が変更になった際に、変化４を検知する。
【００３３】
変化５の一例を説明する。図８は、撮影者が撮影対象を被写体８１１，８１２から別の被写体８２３に変更したことを示している。撮影された動画像は、シーン８０１からシーン８１３へと切り替わる。ＡＦ制御では、複数の測距枠８０２〜８１０および測距枠８１４〜８２２のそれぞれの画像情報から逐次、測距及び合焦処理しており、撮影対象が被写体８１１，８１２から別の被写体８２３に変更されたことにより、合焦枠が合焦枠８０８，８０９から合焦枠８１８，８１９，８２１，８２２に変化する。複数の測距枠８０２〜８１０及び８１４〜８２２の内、測距枠８０８，８０９から測距枠８１８，８１９，８２１，８２２への合焦枠の変化（変化５）を検知する。すなわち、シーン８０１からシーン８１３への切り替わりが変化５として検知される。
【００３４】
変化６の一例を説明する。図９は、撮影者が操作部１０４を操作してズーム倍率を変更し、画角９０１から画角９０３に変更されたことを示す。撮影された動画像は、シーン９０１からシーン９０３へと切り替わる。シーン９０１からシーン９０３へのズーム倍率の変化が、変化６として検知される。
【００３５】
変化７の一例を説明する。図１０は、変化７を検知する撮像装置の構成図を示す。図１０に示す撮像装置は、ＣＰＵ１００１、メモリ１００２、表示部１００３、操作部１００４、通信手段１００５、撮像部１００６、画像処理部１００７、記憶媒体１００８、圧縮処理部１００９、及び加速度センサ１０１０を具備する。ＣＰＵ１００１、メモリ１００１、表示部１００３、操作部１００４、通信手段１００５、撮像部１００６、画像処理部１００７、記憶媒体１００８及び圧縮処理部１００９は、それぞれ、図１に示す同じ符号の構成要素と同じ機能からなる。
【００３６】
加速度センサ１０１０は、撮像装置に力が加えられ移動した際の方向と加速度を検知する。撮像装置は、この移動の方向と加速度情報からレンズの光軸を制御し、レンズを通して撮影される被写体のブレを軽減する。
【００３７】
図１１は、撮影者が撮像装置１１０１，１１０３の向きを撮影方向１１０２から撮影方向１１０４に変更したことを示す。撮影された動画像は、撮影方向の変更に応じて、シーンが切り替えられる。加速度センサ１０は、撮影者による撮影方向１１０２から撮影方向１１０４への変更を、撮像装置の方向と加速度の変化（変化７）として検知する。すなわち、撮像装置１１０１，１１０３の向きを撮影方向１１０２から撮影方向１１０４に変更したことによるシーンの切り替わりが、変化７により検知される。
【００３８】
次に、変化１〜７が一定時間内に連続して発生する場合にこれを無視することで、不必要に動画ファイルが分割されないようにする制御を説明する。
【００３９】
図１２は、第１の制御フローを示す。一定の経過時間以下の場合は、変化を検知しても動画ファイルを分割しない。動画録画が開始すると（１２０１）、新規ファイルを生成する（１２０２）。同時に、経過時間Ｔ＝０とする（１２０２）。動画像撮影、画像処理及び圧縮処理（１２０３）の後、動画像データを生成ファイルに書き込む（１２０４）。動画記録停止要求があるか否かを確認し（１２０５）、停止要求がある場合は終了し（１２０８）、停止要求がない場合は、さらに何らかの変化を検知したかどうかを確認する（１２０６）。変化を検知した場合はさらに、一定時間Ｔ０を経過したかどうか、すなわちＴ≧Ｔ０かどうかを確認する（１２０７）。一定時間を経過していた場合、即ち、Ｔ≧Ｔ０の場合、新規ファイル（別ファイル）を生成し、同時に、経過時間Ｔ＝０とする（１２０２）。以降、動画像撮影、画像処理および圧縮処理（１２０３）、並びに、動画像データの生成ファイルへの書き込み（１２０４）を行う。経過時間ＴがＴ０を経過していない場合、即ち、Ｔ＜Ｔ０の場合、新規ファイルを生成せず、動画像撮影、画像処理及び圧縮処理（１２０３）、並びに、動画像データの生成ファイルへの書き込み（１２０４）を引き続き実行する。
【００４０】
停止要求があるまで、一連の処理（１２０２、１２０３、１２０４、１２０５、１２０６、１２０７）を繰り返す。また、基準経過時間Ｔ０には、動画撮影条件（１フレーム画像サイズ及びフレームレート等）ごとに適正な値が設定される。予め動画撮影条件ごとに定められた基準経過時間の中から、現在の動画撮影条件に合わせた基準経過時間がＴ０として選択される。
【００４１】
図１３は、第２の制御フローを示す。一定ファイルの大きさ以下の場合、変化を検知しても、動画ファイルを分割しない。動画録画が開始すると（１３０１）、新規ファイルを生成する（１３０２）。同時に、経過時間Ｔ＝０とする（１３０２）。動画像撮影、画像処理及び圧縮処理（１３０３）の後、動画像データを生成ファイルに書き込む（１３０４）。動画記録停止要求があるか否かを確認し（１３０５）、停止要求がある場合は終了し（１３０８）、停止要求がない場合、更に、何らかの変化を検知したか否かを確認する（１３０６）。変化を検知した場合はさらに、一定ファイルサイズＳ０よりファイルサイズＳが大きいかどうか、すなわちＳ≧Ｓ０かどうかを確認し（１３０７）、Ｓ≧Ｓ０であり、一定サイズＳ０以上の場合は、新規ファイル（別ファイル）を生成し、同時に、経過時間Ｓ＝０とする（１３０２）。以降、動画像撮影、画像処理および圧縮処理（１３０３）、並びに、動画像データの生成ファイルへの書き込み（１３０４）を行う。経過時間ＴがＴ０を経過していない場合、即ち、Ｔ＜Ｔ０の場合、新規ファイルを生成せず、動画像撮影、画像処理および圧縮処理（１３０３）、並びに動画像データの生成ファイルへの書き込み（１３０４）を引き続き実行する。
【００４２】
停止要求があるまで、一連の処理（１３０２、１３０３、１３０４、１３０５、１３０６、１３０７）を繰り返す。また、基準ファイルサイズＳ０は、動画撮影条件（１フレーム画像サイズ及びフレームレート等）ごとに適正な値を持つこともできる。この場合、予め動画撮影条件ごとに定められた基準ファイルサイズの中から、現在の動画撮影条件に合わせたファイルサイズが選択される。
【００４３】
以上説明した経過時間による第１の制御と、ファイルサイズによる第２の制御は、単独で用いるだけでなく、組み合わせても利用され得る。
【図面の簡単な説明】
【００４４】
【図１】本発明を適用した撮像装置の第１実施例を示す概略構成ブロック図である。
【図２】第１実施例の基本処理フローを示す図である。
【図３】第１実施例における動画像ファイルの分割生成処理を示す図である。
【図４】明るさの変化を伴うシーン切替えを示す図である。
【図５】光源の変化を伴うシーン切替えを示す図である。
【図６】被写体距離の変化を伴うシーン切替えを示す図である。
【図７】操作者による測距枠の位置変更を伴うシーン切替えを示す図である。
【図８】合焦した測距枠の変化を伴うシーン切替えを示す図である。
【図９】ズーム倍率の変更を伴うシーン切替えを示す図である。
【図１０】撮像装置の移動方向と加速度を検知する撮像装置の構成を示す概略構成ブロック図である。
【図１１】撮像装置の向きの変化を伴うシーン切替えを示す図である。
【図１２】一定時間経過しない場合に動画ファイルを分割しない処理フローを示す図である。
【図１３】一定ファイルサイズより小さい場合に動画ファイルを分割しない処理フローを示す図である。
【図１４】従来の撮像装置の基本処理フローを示す図である。
【図１５】従来の撮像装置における動画像ファイルの分割生成処理を示す図である。
【符号の説明】
【００４５】
１０１：ＣＰＵ
１０２：メモリ
１０３：表示部
１０４：操作部
１０５：通信手段
１０６：撮像部
１０７：画像処理部
１０８：記憶媒体
１０９：圧縮処理部
３０１：録画開始のイベント
３０２：第１の分割イベント
３０３：第２の分割イベント
３０４：録画停止のイベント
３０５：第１の動画ファイル
３０６：第２の動画ファイル
３０７：第３の動画ファイル
４０１：明るい場所における撮像画像
４０２：明るい場所
４０３：日に陰った場所における撮像画像
４０４：日に陰った場所
５０１：太陽光下での撮像画像
５０２：太陽
５０３：屋内での撮像画像
５０４：電灯
６０１：被写体が近い場合の撮像画像
６０２：近い被写体
６０３：測距枠
６０４：被写体が遠い場合の撮像画像
６０５：遠い被写体
６０６：測距枠
７０１：撮像画像
７０２：測距枠
７０３：被写体
７０４：撮像画像
７０５：測距枠
７０６：被写体
８０１：撮像画像
８０２：合焦していない測距枠
８０３：合焦していない測距枠
８０４：合焦していない測距枠
８０５：合焦していない測距枠
８０６：合焦していない測距枠
８０７：合焦していない測距枠
８０８：合焦した測距枠
８０９：合焦した測距枠
８１０：合焦していない測距枠
８１１：被写体
８１２：被写体
８１３：撮像画像
８１４：合焦していない測距枠
８１５：合焦していない測距枠
８１６：合焦していない測距枠
８１７：合焦していない測距枠
８１８：合焦した測距枠
８１９：合焦した測距枠
８２０：合焦していない測距枠
８２１：合焦した測距枠
８２２：合焦した測距枠
８２３：被写体
９０１：低倍率ズーム時の撮像画像
９０２：被写体
９０３：高倍率ズーム時の撮像画像
９０４：被写体
１００１：ＣＰＵ
１００２：メモリ
１００３：表示部
１００４：操作部
１００５：通信手段
１００６：撮像部
１００７：画像処理部
１００８：記憶媒体
１００９：圧縮処理部
１０１０：加速度センサ
１１０１：撮像装置
１１０２：撮影方向
１１０３：撮像装置
１１０４：撮影方向
１５０１：録画開始のイベント
１５０２：録画停止のイベント
１５０３：生成された動画ファイル
【図１】
2006093956.tif 000003
【図２】
2006093956.tif 000004
【図３】
2006093956.tif 000005
【図４】
2006093956.tif 000006
【図５】
2006093956.tif 000007
【図６】
2006093956.tif 000008
【図７】
2006093956.tif 000009
【図８】
2006093956.tif 000010
【図９】
2006093956.tif 000011
【図１０】
2006093956.tif 000012
【図１１】
2006093956.tif 000013
【図１２】
2006093956.tif 000014
【図１３】
2006093956.tif 000015
【図１４】
2006093956.tif 000016
【図１５】
2006093956.tif 000017